(57)【要約】【課題】  屋根の雪止作用に加えて、せき止めた雪の融雪作用をも発揮する屋根用雪止具を提供すること。【解決手段】  線材１により中空形で略筒状の雪止体Ｙを形成して、内部と外部が連通するかご状若しくは網状の中空の雪止体Ｙに構成し、この雪止体Ｙを屋根傾斜面２に付設し得るように構成する。【選択図】      図１
2005105779.tif 000002
【特許請求の範囲】
【請求項１】
線材により中空形で略筒状の雪止体を形成して、内部と外部が連通するかご状若しくは網状の中空の雪止体に構成し、この雪止体を屋根傾斜面に付設し得るように構成したことを特徴とする屋根用雪止具。
【請求項２】
略平行に配設される多数の直線状の線材と、少なくともこの複数の直線状の線材に交差連結されてこの直線状の線材の長さ方向に少なくとも２以上並設配設する屈曲状の線材とで、中空形で略筒状の前記雪止体を構成したことを特徴とする請求項１記載の屋根用雪止具。
【請求項３】
環状若しくは略Ｃ状に屈曲形成した屈曲状の線材を所定間隔を置いて少なくとも２以上並設し、この並設する屈曲状の線材間に直線状の線材を架設状態にして交差連結すると共に、この直線状の線材を屈曲状の線材の周方向に多数並設状態に配設することで、中空形で略筒状の前記雪止体を形成したことを特徴とする請求項１，２のいずれか１項に記載の屋根用雪止具。
【請求項４】
前記雪止体に、この雪止体を前記屋根傾斜面に沿設状態で載置するための載置部を設けたことを特徴とする請求項１〜３のいずれか１項に記載の屋根用雪止具。
【請求項５】
前記各屈曲状の線材の共通する一部分を直線状に形成して、この各直線部分を前記屋根傾斜面に沿設載置するための前記載置部としたことを特徴とする請求項４記載の屋根用雪止具。
【請求項６】
前記雪止体に、前記屋根傾斜面に対して固定し得る固定具を着脱自在に設け、この固定具により屋根傾斜面に雪止体を付設し得るように構成したことを特徴とする請求項１〜５のいずれか１項に記載の屋根用雪止具。
【請求項７】
前記雪止体に、雪を細分化するための金網や多数の孔を有する板材などの融雪材を着脱自在に連結したことを特徴とする請求項１〜６のいずれか１項に記載の屋根用雪止具。
【発明の詳細な説明】
【技術分野】
【０００１】
本発明は、屋根上に設置して使用する屋根用雪止具に関する。
【背景技術】
【０００２】
この種の屋根用雪止具としては、屋根に取り付けするための取付板部の先端部にアングルや羽根板などの雪止板を設けたもの（例えば、特許文献１）がある。
【０００３】
【特許文献１】特許第３４３１８３１号公報
【発明の開示】
【発明が解決しようとする課題】
【０００４】
本発明は、屋根の雪止作用に加えて、せき止めた雪の融雪作用をも発揮する全く新しい発想の屋根用雪止具を提供することが技術的課題である。
【課題を解決するための手段】
【０００５】
添付図面を参照して本発明の要旨を説明する。
【０００６】
線材１により中空形で略筒状の雪止体Ｙを形成して、内部と外部が連通するかご状若しくは網状の中空の雪止体Ｙに構成し、この雪止体Ｙを屋根傾斜面２に付設し得るように構成したことを特徴とする屋根用雪止具に係るものである。
【０００７】
また、略平行に配設される多数の直線状の線材１Ａと、少なくともこの複数の直線状の線材１Ａに交差連結されてこの直線状の線材１Ａの長さ方向に少なくとも２以上並設配設する屈曲状の線材１Ｂとで、中空形で略筒状の前記雪止体Ｙを構成したことを特徴とする請求項１記載の屋根用雪止具に係るものである。
【０００８】
また、環状若しくは略Ｃ状に屈曲形成した屈曲状の線材１Ｂを所定間隔を置いて少なくとも２以上並設し、この並設する屈曲状の線材１Ｂ間に直線状の線材１Ａを架設状態にして交差連結すると共に、この直線状の線材１Ａを屈曲状の線材１Ｂの周方向に多数並設状態に配設することで、中空形で略筒状の前記雪止体Ｙを形成したことを特徴とする請求項１，２のいずれか１項に記載の屋根用雪止具に係るものである。
【０００９】
また、前記雪止体Ｙに、この雪止体Ｙを前記屋根傾斜面２に沿設状態で載置するための載置部３を設けたことを特徴とする請求項１〜３のいずれか１項に記載の屋根用雪止具に係るものである。
【００１０】
また、前記各屈曲状の線材１Ｂの共通する一部分を直線状に形成して、この各直線部分を前記屋根傾斜面２に沿設載置するための前記載置部３としたことを特徴とする請求項４記載の屋根用雪止具に係るものである。
【００１１】
また、前記雪止体Ｙに、前記屋根傾斜面２に対して固定し得る固定具４を着脱自在に設け、この固定具４により屋根傾斜面２に雪止体Ｙを付設し得るように構成したことを特徴とする請求項１〜５のいずれか１項に記載の屋根用雪止具に係るものである。
【００１２】
また、前記雪止体Ｙに、雪を細分化するための金網や多数の孔を有する板材などの融雪材５を着脱自在に連結したことを特徴とする請求項１〜６のいずれか１項に記載の屋根用雪止具に係るものである。
【発明の効果】
【００１３】
本発明は上述のように構成したから、屋根の雪止作用に加えて良好な融雪作用をも発揮することになり、しかも、雪止体は線材で構成するから、簡易に且つコスト安に設計実現可能で量産性に富むなど、極めて実用性に秀れた画期的な屋根用雪止具となる。
【００１４】
また、請求項２記載の発明においては、前記作用・効果を確実に発揮する雪止体を簡易に設計実現可能となる一層実用性に秀れた構成の屋根用雪止具となる。
【００１５】
また、請求項３記載の発明においては、前記作用・効果を確実に発揮する雪止体を簡易構成にして容易に設計実現可能となる一層実用性に秀れた構成の屋根用雪止具となる。
【００１６】
また、請求項４記載の発明においては、雪止体を屋根傾斜面に安定的に載置して付設することができる一層実用性に秀れた構成の屋根用雪止具となる。
【００１７】
また、請求項５記載の発明においては、前記作用・効果を確実に発揮する載置部を簡易に設計実現可能となる一層実用性に秀れた構成の屋根用雪止具となる。
【００１８】
また、請求項６記載の発明においては、屋根傾斜面に対して雪止体を付設する構成を簡易に設計実現可能となる一層実用性に秀れた構成の屋根用雪止具となる。
【００１９】
また、請求項７記載の発明においては、融雪材を取り付けて使用することで、融雪材による雪止効果も得られると共に、この融雪材により止められた雪も細分化されて融け易くなるなど、一層実用性に秀れた構成の屋根用雪止具となる。
【発明を実施するための最良の形態】
【００２０】
好適と考える本発明の最良の形態（発明をどのように実施するのが最良か）を、図面に基づいて本発明の作用効果を示して簡単に説明する。
【００２１】
雪止体Ｙを屋根傾斜面２の適所に付設する。
【００２２】
すると、この雪止体Ｙによって棟側から滑落してくる屋根傾斜面２の積雪がせき止められて軒先から落下することが阻止される。
【００２３】
また、この雪止体Ｙでせき止められた雪は、日中の太陽熱の作用により融雪して自重によりかご状若しくは網状のこの雪止体Ｙにより細分化されながら雪止体Ｙ内に落下することになり、更に内部と外部が連通するこの雪止体Ｙ内には、雪よりも暖かい外気が良好に流通するために細分化された雪が良く融けることになる。
【００２４】
従って、屋根の雪止作用に加えて良好な融雪作用をも発揮することになる。
【００２５】
また、本発明の雪止体Ｙは、線材で構成するから、この構成は簡易に且つコスト安に設計実現可能な構成で量産性に秀れるなど、極めて実用性に秀れた画期的な屋根用雪止具となる。
【００２６】
また、例えば、略平行に配設される多数の直線状の線材１Ａと、少なくともこの複数の直線状の線材１Ａに交差連結されてこの直線状の線材１Ａの長さ方向に少なくとも２以上並設配設する屈曲状の線材１Ｂとで、中空形で略筒状の前記雪止体Ｙを構成すれば、内部と外部が連通するかご状若しくは網状で、前記作用・効果を確実に発揮する雪止体Ｙを簡易に設計実現可能となり、一層実用的となる。
【００２７】
また、例えば、環状若しくは略Ｃ状に屈曲形成した屈曲状の線材１Ｂを所定間隔を置いて少なくとも２以上並設し、この並設する屈曲状の線材１Ｂ間に直線状の線材１Ａを架設状態にして交差連結すると共に、この直線状の線材１Ａを屈曲状の線材１Ｂの周方向に多数並設状態に配設することで、中空形で略筒状の前記雪止体Ｙを形成すれば、内部と外部が連通するかご状若しくは網状で、前記作用・効果を確実に発揮する雪止体Ｙを簡易構成にして容易に設計実現可能となり、一層実用的となる。
【００２８】
また、例えば、前記雪止体Ｙに、この雪止体Ｙを屋根傾斜面２に沿設状態で載置するための載置部３を設ければ、この載置部３により雪止体Ｙを屋根傾斜面２に安定的に載置して沿設状態で付設することができ、一層実用的となる。
【００２９】
また、例えば、前記各屈曲状の線材１Ｂの共通する一部分を直線状に形成して、この各直線部分を屋根傾斜面２に沿設載置するための前記載置部３とすれば、前記作用・効果を確実に発揮する載置部３を簡易に設計実現可能となり、一層実用的となる。
【００３０】
また、例えば、前記雪止体Ｙに、屋根傾斜面２に対して固定し得る固定具４を着脱自在に設け、この固定具４により屋根傾斜面２に雪止体Ｙを付設し得るように構成すれば、屋根傾斜面２に対して雪止体Ｙを付設する構成を簡易に設計実現可能となり、しかも、固定具４は雪止体Ｙから取り外しできるため、雪止体Ｙから常に固定具４が突設してかさばることもなく、運搬や収納に便利となり、その上、雪止体Ｙと固定具４とを個々に構成できるため、雪止体Ｙに固定具４を一体的に組み込むような構造に比べて構造が複雑とならず、この固定具４も簡易に設計実現可能となるなど、一層実用的となる。
【００３１】
また、例えば、前記雪止体Ｙに、雪を細分化するための金網や多数の孔を有する板材などの融雪材５を着脱自在に設ければ、この融雪材５を取り付けて使用することで、融雪材５による雪止効果も得られると共に、この融雪材５でせき止めた雪も細分化されて融け易くなるなど、一層実用的となる。
【実施例１】
【００３２】
本発明の具体的な実施例１について図１〜図３に基づいて説明する。
【００３３】
この実施例１は、屋根の傾斜方向に対して直交する横設状態で付設して使用するタイプの雪止体Ｙを示している。
【００３４】
本実施例の雪止体Ｙは、線材１で中空形で略筒状に形成して、内部と外部が連通するかご状若しくは網状の中空の雪止体Ｙに構成している。
【００３５】
具体的には、略平行に配設される多数の直線状の線材１Ａと、この多数の直線状の線材１Ａに交差連結されてこの直線状の線材１Ａの長さ方向に多数並設配設する屈曲状の線材１Ｂとで、中空形で略筒状の前記雪止体Ｙを構成している。
【００３６】
更に詳しくは、変形した略Ｃ状に屈曲形成した屈曲状の線材１Ｂを所定間隔を置いて多数並設し、この並設する屈曲状の線材１Ｂ間に直線状の線材１Ａを架設状態にして交差連結すると共に、この直線状の線材１Ａを屈曲状の線材１Ｂの周方向に間隔を置いて多数並設状態に配設固定することで、図１に示すような略筒状であって周囲部分が網状となる中空形の長尺な雪止体Ｙを形成している。
【００３７】
また、本実施例では、この雪止体Ｙを屋根傾斜面２に付設し得るように構成している。
【００３８】
具体的には、雪止体Ｙに、屋根傾斜面２に対して固定し得る固定具４を着脱自在に設け、この固定具４により屋根傾斜面２に雪止体Ｙを付設し得るように構成している。
【００３９】
固定具４は、図２，図３に示すように、伸縮調整可能な本体の一側端部に屋根のハゼ部を挟持固定し得る挟持部４Ａを備え、他側端部に前記直線状の線材１Ａを引っ掛け係止し得るフック状の係止部４Ｂを備えた構成のものを採用している。
【００４０】
従って、この固定具４は、簡易に設計実現可能な構成であり、量産性に秀れ安価に提供可能である。
【００４１】
また、本実施例では、雪止体Ｙに、この雪止体Ｙを屋根傾斜面２に沿設状態で載置するための載置部３を設けている。
【００４２】
具体的には、前記各屈曲状の線材１Ｂの共通する一部分を直線状に形成して、この各直線部分を屋根傾斜面２に沿設載置するための前記載置部３としている。
【００４３】
従って、この直線状の載置部３により、平坦な屋根傾斜面２に対して雪止体Ｙを極めて安定良く載置することができ、この載置（沿設）状態で前記固定具４により強固に付設し得るように構成している。
【００４４】
また、本実施例では、雪止体Ｙに、雪を細分化するための金網や多数の孔を有する板材などの融雪材５を着脱自在に連結し得るように構成している。
【００４５】
この融雪材５は、金網を採用した場合を示している。
【００４６】
また、この融雪材５の雪止体Ｙへの連結構造は、単に、この屈曲状の線材１Ｂの開放部分よりこの線材１Ｂ内に金網（融雪材５）の端部を挿入して引っ掛けるだけの簡単な連結構造としている。即ち、屈曲状の線材１Ｂの開放部分は、融雪材５を着脱するために設けているものである。尚、この融雪材５を連結して使用する場合は、屈曲状の線材１Ｂの開放部分が屋根傾斜上方側に位置するようにして雪止体Ｙを屋根傾斜面２上に付設し、融雪材５が抜脱しないようにする。
【００４７】
次に、本実施例の具体的な使用方法（屋根傾斜面２への付設方法）を説明する。
【００４８】
尚、図面では、融雪材５を同時に使用した場合を示しており、この融雪材５の取付についても合わせて説明する。
【００４９】
例えば、予め融雪材５を雪止体Ｙの屈曲状の線材１Ｂに引っ掛けて取り付けておく。
【００５０】
先ず、この融雪材５の一端部を、例えば軒先の雨樋受具６の適所（例えば、先端部）に引っ掛けて仮止めする。
【００５１】
次いで、この融雪材５を他端部を棟側へ引っ張って屋根傾斜面２上に敷設し、雪止体Ｙの載置部３を屋根傾斜面２上に載置すると共に、この雪止体Ｙの棟側の適宜な直線状の線材１Ａに固定具４の前記係止部４Ｂを係止連結する。
【００５２】
次いで、固定具４の本体を伸縮調整し、挟持部４Ａを屋根のハゼ部に挟持固定して、作業完了となる。尚、固定具４は、使用する雪止体Ｙの長さに応じて使用数を適宜変更し、雪止体Ｙを安定的に屋根傾斜面２に固定する。
【００５３】
従って、このようにして本実施例の雪止体Ｙを屋根傾斜面２に付設すると、この雪止体Ｙによって棟側から滑落してくる屋根傾斜面２の積雪がせき止められて軒先から落下することが阻止される。
【００５４】
また、この雪止体Ｙでせき止められた雪は、日中の太陽熱の作用により融雪して自重により網状のこの雪止体Ｙにより細分化されながら雪止体Ｙ内に落下することになり、更に内部と外部が連通するこの雪止体Ｙ内は通気性が良好なため、雪よりも暖かい外気がこの雪止体Ｙ内に流通して細分化された雪が良く融けることになる。
【００５５】
尚、融雪材５を使用せず、雪止体Ｙを単体で使用しても良い。
【実施例２】
【００５６】
本発明の具体的な実施例２について図４，図５に基づいて説明する。
【００５７】
この実施例２は、二枚の屋根傾斜面２が交差する谷部２Ａに、この谷部２Ａの長さ方向に沿って付設して使用するタイプの谷部２Ａ用の雪止体Ｙを示している。
【００５８】
本実施例は、屈曲状の線材１Ｂの形状が前記実施例１と異なるだけで、その他の構成は実施例１と略同様であるため、同一符号を付してある。
【００５９】
本実施例では、図４に示すように、雪止体Ｙの両端部に位置する屈曲状の線材１Ｂを除いた他の屈曲状の線材１Ｂを、開放部分のない横長環状に形成し、雪止体Ｙの両端部に位置する屈曲状の線材１Ｂは、他の線材１Ｂと形状は同一で上方の中央部が開放したＣ状に形成している。
【００６０】
そして、この各屈曲状の線材１Ｂの上下の直線状部分のうち、両端の開放部分がある側を上側とし、下側の直線状部分を前記載置部３としている。
【００６１】
また、本実施例の場合、雪止体Ｙの長さ方向のいずれか一端部に位置する屈曲状の線材１Ｂの、前記載置部３たる直線状部分に前記固定具４の係止部４Ｂを引っ掛け係止し、この固定具４を介して屋根傾斜面２に谷部２Ａに沿って雪止体Ｙを付設し得るように構成している（図５参照）。
【００６２】
このようにして本実施例の雪止体Ｙを屋根傾斜面２の谷部２Ａに付設すると、谷部２Ａに滑落する雪が雪止体Ｙにせき止められると共に、実施例１と同様の融雪作用が得られることになる。
【００６３】
尚、本実施例では、融雪材５は併用しない。
【００６４】
尚、本発明は、実施例１，２に限られるものではなく、各構成要件の具体的構成は適宜設計し得るものである。
【００６５】
例えば、線材で構成した網材を筒形に丸めてこれを雪止体Ｙとする構成でも良い。
【図面の簡単な説明】
【００６６】
【図１】実施例１を示す斜視図である。
【図２】実施例１の使用状態を示す説明側面図である。
【図３】実施例１の使用状態を示す説明斜視図である。
【図４】実施例２を示す斜視図である。
【図５】実施例２の使用状態を示す説明斜視図である。
【符号の説明】
【００６７】
１  線材
１Ａ  直線状の線材
１Ｂ  屈曲状の線材
２  屋根傾斜面
３  載置部
４  固定具
５  融雪材
Ｙ  雪止体
【図１】
2005105779.tif 000003
【図２】
2005105779.tif 000004
【図３】
2005105779.tif 000005
【図４】
2005105779.tif 000006
【図５】
2005105779.tif 000007